(57)【要約】【課題】  光源の冷却を外気による汚染なしにできると共に、省スペース化、薄型化を図ることが可能な液晶装置及びその液晶装置を用いた電子機器を提供すること。【解決手段】  光源２９と当該光源２９に接する空気層３３とを有する第１空間Ｄ、一部が外気に露出した金属からなる放熱板３６、該放熱板３６を挟んで第１空間Ｄの反対側に第２空間Ｉを設け、当該第１空間Ｄと第２空間Ｉとで空気が流動可能となるように第１及び第２の開口部Ｆ，Ｇを設けることとした。したがって、光源２９で熱せられた空気を有する第１空間Ｄと放熱板３６を挟んだ反対側の第２空間Ｉとで当該空気の移動ができ、該放熱板３６に熱を移し第１空間Ｄの空気を冷却することが容易となる。【選択図】  図３
2009086125.tif 000002
【特許請求の範囲】
【請求項１】
液晶を狭持する第１及び第２基板を有する液晶パネルと、
前記液晶パネルに照射する光を射出する光源と、前記光源に接する気体層とを有する第１空間と、
前記第１空間の外側に配置され、一部が外気に露出した金属からなる放熱体と、
前記放熱体の前記第１空間と反対側に設けられた第２空間と、
前記第１空間と前記第２空間との間で気体が流動可能に設けられた第１及び第２の開口部と
を具備し、
前記第１及び第２の開口部の少なくとも一方には、前記第１空間と前記第２空間との間で前記気体を流動させる送風手段を有することを特徴とする液晶装置。
【請求項２】
請求項１に記載の液晶装置であって、
前記第１の開口部は、前記気体層の気体を前記第１空間から前記第２空間に流入可能とされており、前記第２の開口部は、前記第２空間に流入した気体を前記第１空間に流出可能とされていることを特徴とする液晶装置。
【請求項３】
請求項１又は請求項２に記載の液晶装置であって、
前記放熱体を挟んだ両側に前記第１空間と前記第２空間が配置されており、前記放熱体に前記第１空間と前記第２空間との間で前記気体が流動可能に前記第１の開口部及び前記第２の開口部が離間して設けられていることを特徴とする液晶装置。
【請求項４】
請求項１から請求項３のうちいずれか一項に記載の液晶装置であって、
前記第１空間は、少なくとも前記光源と前記気体層とを収容するケース内の空間であり、
前記第２空間は、前記第１空間の外側に前記放熱体の一部を覆うように設けられたダクト内の空間であることを特徴とする液晶装置。
【請求項５】
請求項４に記載の液晶装置であって、
前記放熱体は、前記ダクトに覆われた面積より前記ダクトに覆われていない面積のほうが大きいことを特徴とする液晶装置。
【請求項６】
請求項４又は請求項５に記載の液晶装置であって、
前記第１及び第２の開口部は、前記ダクト内に突出しており、
前記第２空間は、前記第１の開口部と前記第２の開口部との間で前記放熱体表面と前記ダクト内面との間隔が、前記第１及び第２の開口部と前記ダクト内面との間隔とほぼ同一または、より小さく形成されていることを特徴とする液晶装置。
【請求項７】
請求項４から請求項６のうちいずれか一項に記載の液晶装置であって、
前記ダクトは、前記第１の開口部から第２の開口部への気体の流れに沿ったフィンを有することを特徴とする液晶装置。
【請求項８】
請求項１から請求項７のうちいずれか一項に記載の液晶装置であって、
前記送風手段は、回転可能なファンであることを特徴とする液晶装置。
【請求項９】
請求項４から請求項８のうちいずれか一項に記載の液晶装置であって、
前記ダクトは、その平面形状が略一直線状に形成されていることを特徴とする液晶装置。
【請求項１０】
請求項４から請求項８のうちいずれか一項に記載の液晶装置であって、
前記ダクトは、その平面形状が略コの字状に形成されていることを特徴とする液晶装置。
【請求項１１】
請求項４から請求項８のうちいずれか一項に記載の液晶装置であって、
前記ダクトは、その平面形状が略ロの字状に形成されていることを特徴とする液晶装置。
【請求項１２】
請求項４から請求項８のうちいずれか一項に記載の液晶装置であって、
前記ダクトは、その平面形状が略Ｔの字状に形成されていることを特徴とする液晶装置。
【請求項１３】
請求項１から請求項１２のうちいずれか一項に記載の液晶装置であって、
前記第２空間は、複数の前記第２の開口部を有することを特徴とする液晶装置。
【請求項１４】
請求項１から請求項１３のうちいずれか一項に記載の液晶装置であって、
前記第２基板に平面的に重なる位置に配置され、前記光源から射出された前記光を側端面に受ける導光体を更に具備することを特徴とする液晶装置。
【請求項１５】
請求項１から請求項１３のうちいずれか一項に記載の液晶装置であって、
前記光源は、前記第２基板に平面的に重なる位置に配置されていることを特徴とする液晶装置。
【請求項１６】
請求項１５に記載の液晶装置であって、
前記ケースは、前記光源をその内底部に配置すると共にその周囲に前記気体層を収容し、
前記液晶パネルは、前記気体層を介して前記光源側に前記第２基板が配置され、
前記放熱体は、前記ケースの内底部及び側面の外側に配置され、
前記ダクトは、前記ケースの内底部に対応する前記放熱体の外側に設けられていることを特徴とする液晶装置。
【請求項１７】
請求項１から請求項１６のうちいずれか一項に記載の液晶装置を備えたことを特徴とする電子機器。
【発明の詳細な説明】
【技術分野】
【０００１】
本発明は、パーソナルコンピュータや携帯電話機等に用いられる液晶装置及びその液晶装置を用いた電子機器に関する。
【背景技術】
【０００２】
従来、パーソナルコンピュータや携帯電話機等の電子機器の表示装置として液晶装置が用いられているが、透過型や半透過反射型では、光源の輝度を高めようとする場合にその光源からの発熱量が大きくなるために光源ユニット内の温度が上がり、その結果、光源の発光効率が低下するという問題があった。
【０００３】
そこで、リフレクターに送風口、或は吸出口を設けて、ファンから直接、若しくはダクトを経由して、リフレクター内に強制的に送風する、或はリフレクター内から強制的に吸出すことにより冷陰極管の最適温度の保持と導光板の高温対策が提案されている（例えば、特許文献１参照。）。また、光源部を密閉した状態で取り囲むように設けられる筺体と、その筺体の外部に配置され、筺体内の空気を循環させるように筺体に接続された管路からなる空気循環路と、その空気循環路内および筺体内の空気を循環させるように空気循環路内に設けられた送風手段と、空気循環路の内部と外部との間で熱交換を行う熱交換手段とを備えた光源装置が提案されている（例えば、特許文献２参照。）。
【特許文献１】特開２００１−２８３６２４号公報（段落[０００５]、図３）。
【特許文献２】特開２０００−１７１９２０号公報（段落[００１０]、図１）。
【発明の開示】
【発明が解決しようとする課題】
【０００４】
しかしながら特許文献１の提案のように、外部から空気を光源のリフレクター内に導入することで冷陰極管などを冷却すると、外気が汚染されている場合に光源ユニット内を汚すため、汚れが光源に付着して輝度が低下してしまうという問題が生じる。
【０００５】
一方、特許文献２の提案では、光源部から発せられた熱によって温度上昇した筺体内の空気は、空気循環路内を循環し、熱交換手段によって冷却されるので、外部の空気が筺体内に混入することはないが、別途熱交換器を用意しなければならず部品点数が増加しコスト増になる。また、その熱交換器の分、必要スペースが増え、省スペース化、薄型化という要請に反するという問題が生じる。
【０００６】
本発明は、上述の課題に鑑みてなされるもので、光源の冷却を外気による汚染なしにできると共に、省スペース化、薄型化を図ることが可能な液晶装置及びその液晶装置を用いた電子機器を提供することを目的とする。
【課題を解決するための手段】
【０００７】
上記目的を達成するために、本発明の主たる観点に係る液晶装置は、液晶を狭持する第１及び第２基板を有する液晶パネルと、前記液晶パネルに照射する光を射出する光源と、前記光源に接する気体層とを有する第１空間と、前記第１空間の外側に配置され、一部が外気に露出した金属からなる放熱体と、前記放熱体の前記第１空間と反対側に設けられた第２空間と、前記第１空間と前記第２空間との間で気体が流動可能に設けられた第１及び第２の開口部とを具備し、前記第１及び第２の開口部の少なくとも一方には、前記第１空間と前記第２空間との間で前記気体を流動させる送風手段を有することを特徴とする。
【０００８】
ここで、「第１及び第２基板」とは、例えばガラス基板等のことであり、偏光板や位相差板等をガラス基板等の表面に設ける場合はこれらも含む。
【０００９】
本発明は、光源と当該光源に接する気体層とを有する第１空間、一部が外気に露出した金属からなる放熱体、該放熱体を挟んで第１空間の反対側に第２空間を設け、当該第１空間と第２空間とで気体が流動可能となるように第１及び第２の開口部を設けることとした。したがって、光源で熱せられた気体を有する第１空間と放熱体を挟んだ反対側の第２空間とで当該気体の移動ができ、該放熱体に熱を移し第１空間の気体を冷却することが容易となる。
【００１０】
また、例えば第１空間、放熱体の一部に接する第２空間と第１及び第２の開口部とで密閉された空間を形成することが可能となるので、先行技術１のような外気による汚染がなく、汚れが光源に付着して輝度が低下してしまうという問題が解消され、液晶装置の輝度を向上させることができる。
【００１１】
更に例えば第１空間の外側に配置され、一部が外気に露出した金属からなる放熱体の一部に第２空間が接し、第２空間内の気体を冷却することができるので、先行技術２のように別途熱交換器を設ける必要がなく、部品点数の増加によるコストの増加を防ぐことが可能となる。また、第１空間の外側に放熱体と第２空間を配置することで十分な冷却が可能なので、先行技術２のように装置の厚さが厚くなったりせず、省スペース化及び薄型化をより図れる。
【００１２】
本発明の一の形態によれば、前記第１の開口部は、前記気体層の気体を前記第１空間から前記第２空間に流入可能とされており、前記第２の開口部は、前記第２空間に流入した気体を前記第１空間に流出可能とされていることを特徴とする。これにより、光源を有する第１空間で熱せられた気体を第１の開口部及び送風手段により第２空間に移動させ、当該第２空間で一部が外気に露出した金属からなる放熱体に接触させて当該熱せられた気体を冷却し、第２の開口部によって第１空間に戻すことが可能となり、効率よく光源ユニット内の温度を一定温度に維持することができる。
【００１３】
本発明の一の形態によれば、前記放熱体を挟んだ両側に前記第１空間と前記第２空間が配置されており、前記放熱体に前記第１空間と前記第２空間との間で前記気体が流動可能に前記第１の開口部及び前記第２の開口部が離間して設けられていることを特徴とする。これにより、第１空間の外側に配置され、一部が外気に露出した金属からなる放熱体の一部に第２空間が接し、第２空間内の気体を冷却することができるので、先行技術２のように別途熱交換器を設ける必要がなく、部品点数の増加によるコストの増加を防ぐことが可能となる。
【００１４】
本発明の一の形態によれば、前記第１空間は、少なくとも前記光源と前記気体層とを収容するケース内の空間であり、前記第２空間は、前記第１空間の外側に前記放熱体の一部を覆うように設けられたダクト内の空間であることを特徴とする。これにより、例えば光源や気体層、拡散シートなどの光学部材を収容するケース内の空間の外側に放熱体としてのアルミ板を設け、その一部に当該ケース内の空間とつながるダクト内の空間を配置することで、極めて容易に外気からの汚染のない発光効率のよい光源とすることができる。
【００１５】
本発明の一の形態によれば、前記放熱体は、前記ダクトに覆われた面積より前記ダクトに覆われていない面積のほうが大きいことを特徴とする。これにより、第２空間で放熱体に伝えられた熱が外気に露出する放熱体部分で十分冷却されるので、放熱体自体に熱が蓄積されてしまうことを防げる。
【００１６】
本発明の一の形態によれば、前記第１及び第２の開口部は、前記ダクト内に突出しており、前記第２空間は、前記第１の開口部と前記第２の開口部との間で前記放熱体表面と前記ダクト内面との間隔が、前記第１及び第２の開口部と前記ダクト内面との間隔とほぼ同一または、より小さく形成されていることを特徴とする。これにより、例えば送風手段を有する前記第１及び第２の開口部では、気体がその流れ方向をスムーズに変えるスペースを確保することができる。そして第１の開口部と第２の開口部との間では、気体が出来るだけ放熱体表面に接触して流れることができ、より効率的に放熱体へ熱を伝えることが可能となる。
【００１７】
本発明の一の形態によれば、前記ダクトは、前記第１の開口部から第２の開口部への気体の流れに沿ったフィンを有することを特徴とする。これにより、流れる気体のダクトへの接触面積が増加する共に当該気体の流れがスムーズとなり、気体からダクトへの熱の伝達が効率的となる。
【００１８】
本発明の一の形態によれば、前記送風手段は、回転可能なファンであることを特徴とする。これにより、送風手段として簡単な構造で比較的に大きな送風量を得ることができると共にその送風手段自体の大きさを厚さの薄いものにでき、液晶装置の薄型化に貢献可能となる。
【００１９】
本発明の一の形態によれば、前記ダクトは、その平面形状が略一直線状に形成されていることを特徴とする。これにより、ダクト内を流れる気流がよりスムーズになり、効率的に冷却できる。
【００２０】
本発明の一の形態によれば、前記ダクトは、その平面形状が略コの字状に形成されていることを特徴とする。これにより、ダクトを配置する場所が狭い場合も比較的に長い気体の流路を確保でき、放熱体への熱の移動が向上可能となる。
【００２１】
本発明の一の形態によれば、前記ダクトは、その平面形状が略ロの字状に形成されていることを特徴とする。これにより、放熱体との接触面積を増やすことができると共に離れた場所の放熱体に接触させて、より冷却効率を向上できる。
【００２２】
本発明の一の形態によれば、前記ダクトは、その平面形状が略Ｔの字状に形成されていることを特徴とする。これにより、例えば横方向のダクト内に二つの第２の開口部を設け、縦方向のダクト内に一つの第１の開口部を設けることができ、より冷却効率を向上させることが可能となる。
【００２３】
本発明の一の形態によれば、前記第２空間は、複数の前記第２の開口部を有することを特徴とする。これにより、第２の開口部による気体の流通抵抗が第１の開口部による気体の流通抵抗より大きい場合も、複数の第２の開口部とすることでその抵抗を少なくさせることができ、全体的な冷却効率の向上が図れる。
【００２４】
本発明の一の形態によれば、前記第２基板に平面的に重なる位置に配置され、前記光源から射出された前記光を側端面に受ける導光体を更に具備することを特徴とする。これにより、光源の配置場所にかかわらず外気の汚染を防ぎ当該光源の発光効率を向上させることができる。
【００２５】
本発明の一の形態によれば、前記光源は、前記第２基板に平面的に重なる位置に配置されていることを特徴とする。これにより、例えば導光体がいらないので光の損失が少なく、より光源の輝度を上げることができる。
【００２６】
本発明の一の形態によれば、前記ケースは、前記光源をその内底部に配置すると共にその周囲に前記気体層を収容し、前記液晶パネルは、前記気体層を介して前記光源側に前記第２基板が配置され、前記放熱体は、前記ケースの内底部及び側面の外側に配置され、前記ダクトは、前記ケースの内底部に対応する前記放熱体の外側に設けられていることを特徴とする。これにより、放熱体自体の表面積をより増やすことができるのでダクトに覆われる部分の面積を広く取れ、より効率的な冷却が可能となり、表示品質の更なる向上が図れる。
【００２７】
本発明の他の観点に係る電子機器は、上述の液晶装置を備えることを特徴とする。
【００２８】
本発明は、光源の冷却を外気による汚染なしにできると共に、省スペース化、薄型化を図ることが可能な液晶装置を備えたので、表示品位が高くて小型、薄型化された電子機器を低コストに提供できる。
【発明を実施するための最良の形態】
【００２９】
以下、本発明の実施形態を図面に基づき説明する。なお、以下実施形態を説明するにあたっては、液晶装置の例としてＴＦＴ（Ｔｈｉｎ  Ｆｉｌｍ  Ｔｒａｎｎｓｉｓｔｏｒ）アクティブマトリックス型の液晶装置、またその液晶装置を用いた電子機器について説明するが、これに限られるものではない。また、以下の図面においては各構成をわかりやすくするために、実際の構造と各構造における縮尺や数等が異なっている。
【００３０】
（第１の実施形態）
【００３１】
図１は本発明の第１の実施形態に係る液晶装置の概略斜視図、図２は図１のＡ−Ａ線断面図（ドライバーＩＣ（Ｉｎｔｅｇｒａｔｅｄ  Ｃｉｒｃｕｉｔ）は切断していない。）、図３は図１のＢ−Ｂ線断面図及び図４（ａ）は液晶装置の概略底面図である。
【００３２】
（液晶装置の構成）
【００３３】
液晶装置１は、例えば図１に示すように液晶パネル２、当該液晶パネル２や後述する光源に電気的に接続されたフレキシブル基板３、当該液晶パネル２に光を射出する照明装置４、当該照明装置等を収容するケース５及び当該ケースの外側に設けられたダクト６を有する。ここで、液晶装置１には、ダクト６等の他にも、その他の付帯機構が必要に応じて付設される（図示しない）。
【００３４】
液晶パネル２は、図１及び図２に示すようにシール材７を介して貼り合わされた第１基板８及び第２基板９及び両基板の間隙に封入されたＴＮ（Ｔｗｉｓｔｅｄ  Ｎｅｍａｔｉｃ）型の液晶１０等を有する。
【００３５】
第１及び第２基板８，９は、それぞれ例えばガラスといった透光性を有する板状部材からなる第１及び第２の基材１１，１２を有し、図２に示すように第１及び第２の基材１１，１２の外側（液晶とは反対側）には、入射光を偏光させるための偏光板１３，１４が夫々貼着されている。なお、第１及び第２基板８，９は例えば図２に示すように第１基板８と第２基板９とが重なる領域の内側に有効表示領域Ｃを有する。
【００３６】
また、第２の基材１２はその内側（液晶側）に例えば図１及び図２に示すようにＹ軸方向に複数の走査線１５が並行して形成され、Ｘ軸方向に複数のデータ線１６が並行して形成されており、更にその走査線１５及びデータ線１６等の液晶側には配向膜１７が形成されている。走査線１５及びデータ線１６は、例えばニッケル等から形成されており、図示しないＴＦＴに電気的に接続されている。また、ＴＦＴはＩＴＯ（インジウムスズ酸化物）等からなる画素電極１８に電気的に接続されている。
【００３７】
すなわち、走査線１５の一端はＴＦＴの図示しないゲート電極に、他端は後述する外部用端子にそれぞれ電気的に接続されている。さらにデータ線１６の一端はＴＦＴの図示しないデータ線に、他端は後述する外部用端子にそれぞれ電気的に接続されている。
【００３８】
また、第２の基材１２は、例えば図１及び図２に示すように第１の基材１１の外周縁から張出した張出し部１９を有し、走査線１５及びデータ線１６は、シール材７で囲まれる領域から当該張出し部１９に延在されており、フレキシブル基板３の後述する配線パターンに電気的に接続される各外部用端子２０に電気的に接続されている。
【００３９】
一方、第１の基材１１は例えば図２に示すようにその内側（液晶側）表面に共通電極２１が形成されており、その共通電極２１の液晶側には配向膜２２が形成されている。
【００４０】
尚、第１及び第２の基材１１，１２の液晶側には、図示しないが必要に応じて下地層、反射層、着色層及び光遮蔽層等が形成されている。
【００４１】
次に、フレキシブル基板３は例えば図１及び図２に示すように基板としてのベース基材２３上に銅（Ｃｕ）等から形成された配線パターン２４，２５が形成され、液晶駆動用のドライバーＩＣ２６等が実装されている。
【００４２】
ここで、ベース基材２３は可撓性を有するフイルム状の部材である。また、配線パターン２４は、一端がベース基材２３の張出し部側の端に形成されている接続用端子（図示しない）に電気的に接続されている。例えば、その接続用端子は液晶パネル２の外部用端子２０に図示しないスルーホール及び異方性導電膜２７を介して電気的に接続されている。
【００４３】
更に配線パターン２４の他端は、例えば一部は分岐したベース基材２３ａに形成されており、光源に電気的に接続され、残りはドライバーＩＣ２６の実装領域に並設された図示しない電極用端子に電気的に接続されている。
【００４４】
また、ドライバーＩＣ２６は例えば図２に示すようにその実装面に接続用端子と電気的に接続する複数配列されたバンプ２８を有する。
【００４５】
配線パターン２５は、例えば図１及び図２に示すように一端がドライバーＩＣ２６のバンプ２８に電気的に接続された図示しない接続用端子に電気的に接続されている。
【００４６】
次に、照明装置４は例えば図１及び図２に示すように液晶パネル２に光を供給するユニットであり、光源２９、当該光源２９と液晶パネル２との間に配置された拡散シート３０、当該拡散シート３０と液晶パネル２との間に配置された２枚のレンズシート３１，３２及び当該拡散シート３０と光源２９との間に形成された気体層としての空気層３３を有する。
【００４７】
ここで、光源２９は例えば複数の冷陰極管３４が後述するケース５の内底部に図１及び図２に示すようにＹ軸方向に並設されており、ベース基材２３ａに形成された配線パターン２４に電気的に接続されている。勿論、フレキシブル基板の配線パターンによらずにリード配線で電気的に接続しても良い。
【００４８】
また、拡散シート３０及び２枚のレンズシート３１，３２は図１、図２に示すように略同じ大きさに形成されており、拡散シート３０から射出される光の輝度を向上させ液晶パネル２の偏光板１４に照射するものである。
【００４９】
次に、ケース５は例えば図１及び図２に示すように上部に開口した凹部３５を有する箱形状からなり、その外側には放熱体としての放熱板３６を有する。そして当該凹部３５にレンズシート３１，３２、拡散シート３０、空気層３３及び光源２９が収容されている。
【００５０】
ここで、凹部３５は例えば図２及び図３に示すように内底部３７と内壁３８を有し、内底部３７には光源２９例えば冷陰極管３４が複数並設され収容されている。また、内壁３８は、例えば図２及び図３に示すように段部３９が形成されており、当該段部３９にレンズシート３１，３２及び拡散シート３０が、冷陰極管３４から所定の間隔で保持され、この間隔には空気が存在し空気層３３を形成している。これにより、当該ケース５内に第２基板９に照射する光を射出する光源２９及び当該光源２９に接する気体層としての空気層３３を収容する第１空間Ｄが形成されることとなり、その外側に放熱体としての放熱板３６が配置されることとなる。
【００５１】
更に内底部３７には、例えば図３に示すように第１空間Ｄと後述する第２空間とをつなぐ空間Ｅの一部としての貫通部４０，４１が、複数並設された冷陰極管３４のＸ軸方向両端側付近にそれぞれ設けられており、図２では当該貫通部４０，４１はケース５の内底部３７中央にＸ軸方向に重なっている。
【００５２】
なお、貫通部４０，４１は、例えば図４（ｂ）に示すように多数の小さな貫通孔４２が集まって形成されている。
【００５３】
また、放熱板３６は例えば図１から図４に示すようにケース５の底面外側の底面部４３からＵ字状に左右ケース外壁の外側の壁面４４，４５として延在されており、金属例えばアルミニウムにより形成されている。そして、放熱板３６はその底面部４３にケース５の内底部３７に設けられた貫通部４０，４１のそれぞれの重なる位置に空間Ｅの一部である貫通部４６，４７が形成されている。
【００５４】
ここで、貫通部４６，４７の外側には例えば図３に示すように円筒形の突出し部４８，４９がそれぞれ形成されており、その内側に送風手段としての回転可能なファン５０，５１がそれぞれ配置されている。当該ファン５０，５１は図示しないが電動モーターが連結されており、やはり図示しないリード線やフレキシブル基板の配線パターンに電気的に接続されている。
【００５５】
そして例えば後述する図３及び図５に示すように貫通部４０、貫通部４６、更に突出し部４８、ファン５０は一組となって光源２９により熱せられた気体である例えば空気が第１空間としてのケース５内の空間から後述するダクト内に流入する第１の開口部Ｆを構成することになる。また、貫通部４１、貫通部４７、さらに突出し部４９、ファン５１は別の一組となって熱せられた気体である例えば空気が放熱体としての放熱板３６により冷却されて第１空間としてのケース５内の空間に流出する第２の開口部Ｇを構成することになる。
【００５６】
次にダクト６は、第１空間Ｄの外側に設けられた放熱板３６の一部を覆うように設けられており、例えば図４（ａ）に示すように底面部４３のほぼ中央に第１の開口部Ｆ及び第２の開口部Ｇを平面的に内部に含むように平面形状が略一直線状に形成されている。これにより、放熱体としての放熱板３６の第１空間Ｄと反対側の一部に接し、上記第１の開口部Ｆと第２の開口部Ｇとを覆う第２空間Ｉが構成されることとなる。また、ダクト６は例えばアルミニウム等の金属により形成されており、図３に示すように突出し部４８，４９の先端４８ａ，４９ａとダクト６の内面６ａとの間の間隔はＨ１となる。一方、第１の開口部Ｆである突出し部４８と第２の開口部Ｇである突出し部４９との間には放熱板３６の底面部４３がダクト６内に露出しており、当該底面部４３とダクト６の内面６ａとの間の間隔はＨ２となり、例えばＨ１<Ｈ２となっている。
【００５７】
また、例えば図４に示すように放熱板３６はダクト６に一部を覆われており、その覆われている面積Ｊ１は当該ダクト６に覆われていない面積Ｊ２（底面部の一部と壁面４４，４５）より小さくなる様にダクト６の大きさを形成している。
【００５８】
（液晶装置の動作）
【００５９】
次に、以上のように構成された液晶装置１の動作について特に光源からの熱の進み方を中心に簡単に説明する。
【００６０】
図５はケース内及びダクト内の熱の進み方を側面から説明する図である。
【００６１】
まず、図示しない駆動回路により例えば冷陰極管３４に所定の電流が供給されると該冷陰極管３４は光を発すると共に、発熱する。そして、その複数並設された冷陰極管等から発生した熱は、例えば図５に示すように冷陰極管３４に接する気体である空気に移り（図５中の矢印Ｋ１）、第１空間Ｄの気体層としての空気層３３中にその熱が広がる。
【００６２】
更に該空気層３３中に広がった熱は、例えば図５に示すように駆動回路（図示しない）により第１の開口部Ｆの電動モーターがファン５０を回転させ、空気層中の熱せられた空気を強制的に第１空間Ｄから第２空間Ｉに流入させる（図５中の矢印Ｋ２）。すなわち、第１空間Ｄから熱せられた空気が第１の開口部Ｆであるケース５の内底部３７の貫通部４０及び放熱板３６の貫通部４６を通り、突出し部４８の先端から第２空間Ｉであるダクト６内に流入する。
【００６３】
このとき、例えば駆動回路により第２の開口部Ｇの電動モーターがファン５１を回転させ、ダクト内の空気を強制的に第１空間Ｄに流入させる（図５中の矢印Ｋ４）。したがって、ダクト内の空気は、例えば図５に示すように突出し部４８の先端４８ａとダクト内面６ａとの間から、放熱板３６の底面部４３の表面付近を突出し部４９の先端４９ａとダクト内面６ａとの間に向かって流れる（図５中の矢印Ｋ３）。これにより、ダクト内を流れる熱せられた空気の熱が放熱板３６の底面部４３に移り、ダクト内を流れる空気は冷却されて第２の開口部Ｇのファンにより強制的に突出し部４９の先端４９ａとダクト内面６ａとの間から第２の開口部Ｇである放熱板３６の貫通部４７及びケース５の内底部３７の貫通部４１を通り（図５中の矢印Ｋ４）、ケース内の第１空間Ｄの空気層３３に流入することとなる。そして、空気層３３に流入した冷えた空気は熱くなっている冷陰極管３４に接し当該冷陰極管３４を冷却する。
【００６４】
すなわち、外気から遮断された形で第１空間Ｄから第２空間Ｉに熱せられた空気が流入し、その流入した第２空間Ｉで放熱板３６に接して冷却され、また第２空間Ｉから第１空間に冷却された空気が戻るという密閉された循環流路が形成されることとなり、冷陰極管３４を所定の温度に維持することが可能となる。
【００６５】
以上で液晶装置１の動作の説明を終了する。
【００６６】
このように本実施形態によれば、光源２９と当該光源２９に接する空気層３３とを有する第１空間Ｄ、一部が外気に露出した金属からなる放熱板３６、該放熱板３６を挟んで第１空間Ｄの反対側に第２空間Ｉを設け、当該第１空間Ｄと第２空間Ｉとで空気が流動可能となるように第１及び第２の開口部Ｆ，Ｇを設けることとした。したがって、光源２９で熱せられた空気を有する第１空間Ｄと放熱板３６を挟んだ反対側の第２空間Ｉとで当該空気の移動ができ、該放熱板３６に熱を移し第１空間Ｄの空気を冷却することが容易となる。
【００６７】
また、第１空間Ｄ、放熱板３６の一部に接する第２空間Ｉと第１及び第２の開口部Ｆ，Ｇとで密閉された空間を形成するので、先行技術１のような外気による汚染がなく、汚れが光源２９に付着して輝度が低下してしまうという問題が解消され、液晶装置１の輝度を向上させることができる。
【００６８】
更に第１空間Ｄの外側に配置され、一部が外気に露出した金属からなる放熱板３６の一部に第２空間Ｉが接し、第２空間内の空気を冷却することができるので、先行技術２のように別途熱交換器を設ける必要がなく、部品点数の増加によるコストの増加を防ぐことが可能となる。また、第１空間Ｄの外側に放熱板３６と第２空間Ｉを配置することで十分な冷却が可能なので、先行技術２のように装置の厚さが厚くなったりせず、省スペース化及び薄型化をより図れる。
【００６９】
また、第１の開口部Ｆは、空気層３３の空気を第１空間Ｄから第２空間Ｉに流入可能とされており、第２の開口部Ｇは、第２空間Ｉに流入した空気を第１空間Ｄに流出可能とされている。したがって、光源２９を有する第１空間Ｄで熱せられた空気を第１の開口部Ｆ及びファン５０により第２空間Ｉに移動させ、当該第２空間Ｉで一部が外気に露出した金属からなる放熱板３６に接触させて当該熱せられた空気を冷却し、離間した第２の開口部Ｇによって第１空間Ｄに戻すことが可能となり、効率よく光源ユニット内の温度を一定温度に維持することができる。
【００７０】
更に放熱板３６を挟んだ両側に第１空間Ｄと第２空間Ｇが配置されており、放熱板３６に第１空間Ｄと第２空間Ｉとの間で空気が流動可能に第１の開口部Ｆ及び第２の開口部Ｇが離間して設けられることとした。したがって、第１空間Ｄの外側に配置され、一部が外気に露出した金属からなる放熱板３６の一部に第２空間Ｉが接し、第２空間内の空気を冷却することができるので、先行技術２のように別途熱交換器を設ける必要がなく、部品点数の増加によるコストの増加を防ぐことが可能となる。
【００７１】
また、第１空間Ｄは少なくとも光源２９と空気層３３とを収容するケース内の空間であり、第２空間Ｉは、第１空間Ｄの外側に放熱板３６の一部を覆うように設けられたダクト内の空間であることとした。したがって、例えば光源２９や空気層３３、拡散シート３０などの光学部材を収容するケース内の空間の外側に放熱板３６としてのアルミ板を設け、その一部に当該ケース内の空間につながるダクト内の空間を配置することで、極めて容易に外気からの汚染のない発光効率のよい光源２９とすることができる。
【００７２】
更に放熱板３６は、ダクト６に覆われた面積Ｊ１よりダクト６に覆われていない面積Ｊ２のほうが大きいこととしたので、第２空間Ｉで放熱板３６に伝えられた熱が外気に露出する放熱板部分で十分冷却され、放熱板自体に熱が蓄積されてしまうことを防げる。
【００７３】
また、送風手段は、回転可能なファン５０，５１であることとしたので、送風手段として簡単な構造で比較的に大きな送風量を得ることができると共にその送風手段自体の大きさを厚さの薄いものにでき、液晶装置１の薄型化に貢献可能となる。
【００７４】
更にダクト６は、その平面形状が略一直線状に形成されていることとしたので、ダクト内を流れる気流がよりスムーズになり、効率的に冷却できる。
【００７５】
また、光源２９は第２基板９に平面的に重なる位置に配置されているので、例えば導光体がいらないので光の損失が少なく、より光源２９の輝度を上げることができる。
【００７６】
更にケース５は、光源２９をその内底部３７に配置すると共にその周囲に空気層３３を収容し、液晶パネル２は、空気層３３を介して光源側に第２基板９が配置され、放熱板３６は、ケース５の内底部３７及び内壁３８の外側に配置され、ダクト６は、ケース５の内底部３７に対応する放熱板３６の外側に設けられていることとしたので、放熱板自体の表面積をより増やすことができ、ダクト６に覆われる部分の面積を広く取れ、より効率的な冷却が可能となり、表示品質の更なる向上が図れる。また、内壁３８の外側に配置される放熱板３６は、内壁３８を傾斜させることで更なる面積を確保できる。
【００７７】
（変形例１）
【００７８】
次に本発明に係る液晶装置の変形例１について説明する。変形例においては、光源２９が冷陰極管ではなく発光ダイオードである点が第１の実施形態と異なっているのでその点を中心に説明する。尚、液晶装置の動作については第１の実施形態と略同様であるのでその説明は省略する。
【００７９】
（液晶装置の構成）
【００８０】
図６は本発明の変形例１に係る液晶装置の断面図及び図７は光源の配列を上から見た状態の説明図である。
【００８１】
液晶装置１０１は、例えば図６及び図７に示すように液晶パネル２、当該液晶パネル２等に電気的に接続された可撓性基板としてのフレキシブル基板３、当該液晶パネル２に光を射出する照明装置１０４、これら液晶パネルや照明装置等を収容するケース５及び当該ケースの外側に設けられたダクト６を有する。ここで、液晶装置１０１には、ダクト等の他にも、その他の付帯機構が必要に応じて付設される（図示しない）。
【００８２】
照明装置１０４は、例えば図６及び図７に示すように液晶パネル２に光を供給するユニットであり、光源２９、当該光源２９と液晶パネル２との間に配置された拡散シート３０、当該拡散シート３０と液晶パネル２との間に配置された２枚のレンズシート３１，３２及び当該拡散シート３０と光源２９との間に形成された気体層としての空気層３３を有する。
【００８３】
ここで、光源２９は例えば複数の発光ダイオード１３４がケース５の内底部３７に図７（図中の斜線部分）に示すようにＸＹ軸方向にマトリックス状に並設されており、ベース基材２３ａに形成された配線パターン２４に電気的に接続されている。また、各発光ダイオード１３４は光の射出面が液晶パネル方向に向けて配列されている。勿論、発光ダイオード１３４の個数や配列は図７に限られるものではなく、例えばもっと数が少なくしてもよい。
【００８４】
このように本変形例によれば、光源２９をケース５の内底部３７に均一に配置された複数の発光ダイオード１３４であるとしたので、光源２９の寿命を長くすることができる他、消費電力も小さくでき、液晶装置１０１の高い表示品質を維持することが容易となる。
【００８５】
（変形例２）
【００８６】
次に本発明に係る液晶装置の変形例２について説明する。変形例においては、ダクトの平面形状が一直線状ではなくコの字状である点が第１の実施形態と異なっているのでその点を中心に説明する。
【００８７】
（液晶装置の構成）
【００８８】
図８は本発明の変形例２に係る液晶装置の液晶装置の概略底面図である。
【００８９】
液晶装置２０１は、例えば図８に示すように液晶パネル２、当該液晶パネル２等に電気的に接続された可撓性基板としてのフレキシブル基板３、当該液晶パネル２に光を射出する照明装置４、これら液晶パネルや照明装置等を収容するケース５及び当該ケースの外側に設けられたダクト２０６を有する。ここで、液晶装置２０１には、ダクト等の他にも、その他の付帯機構が必要に応じて付設される（図示しない）。
【００９０】
ダクト２０６は、第１空間Ｄの外側に設けられた放熱板３６の一部を覆うように設けられており、例えば図８に示すように底面部４３のほぼ中央に第１の開口部Ｆ及び第２の開口部Ｇを平面的に内部に含むように平面形状が略コの字状に形成されている。これにより、放熱体としての放熱板３６の第１空間Ｄと反対側の一部に接し、上記第１の開口部Ｆと第２の開口部Ｇとを覆うように第２空間Ｉが構成されることとなる。ダクト２０６は、例えばアルミニウム等の金属により形成されている。
【００９１】
また、例えば図８に示すように放熱板３６はダクト２０６に一部を覆われており、その覆われている面積Ｊ３は当該ダクト６に覆われていない面積Ｊ４（底面部の一部と壁面４４，４５）より小さくなる様にダクト２０６の大きさを形成している。
【００９２】
（液晶装置の動作）
【００９３】
次に、以上のように構成された液晶装置２０１の動作について特にダクト内の熱の進み方を中心に簡単に説明する。
【００９４】
まず、例えば図８に示すように駆動回路（図示しない）により第１の開口部Ｆの電動モーターがファン５０を回転させ、空気層中の熱せられた空気を強制的に第１空間Ｄから第２空間Ｉに流入させる。
【００９５】
これにより、熱せられた空気は第１の開口部Ｆの突出し部４８から図８のＹ軸方向（図中の矢印Ｌ１）に流れ、さらにダクト２０６の内面２０６ａによってその流れが図８のＸ軸方向（図中の矢印Ｌ２）に曲げられ、もう一度ダクト２０６の内面２０６ａによってその流れが図８のＸ軸方向（図中の矢印Ｌ３）に曲げられて、最後に第２の開口部Ｇの突出し部４９からファン５１を回転させ、第２空間内の空気を強制的に第１空間Ｄに流出させる。これにより、ダクト内を熱せられた空気が流れるときにその距離が長くなり、その長くなった分だけ放熱板３６に接して冷却される量が多くなる。
【００９６】
以上で液晶装置１の動作の説明を終了する。
【００９７】
このように本変形例によれば、ダクト２０６は、その平面形状が略コの字状に形成されていることとしたので、ダクト２０６を配置する場所が狭い場合も比較的に長い気体の流路を確保でき、放熱板３６への熱の移動が向上可能となる。
【００９８】
（変形例３）
【００９９】
次に本発明に係る液晶装置の変形例３について説明する。変形例においては、ダクトの平面形状が一直線状ではなく口の字状である点が第１の実施形態と異なっているのでその点を中心に説明する。
【０１００】
（液晶装置の構成）
【０１０１】
図９は本発明の変形例３に係る液晶装置の液晶装置の概略底面図である。
【０１０２】
液晶装置３０１は、例えば図９に示すように液晶パネル２、当該液晶パネル２等に電気的に接続された可撓性基板としてのフレキシブル基板３、当該液晶パネル２に光を射出する照明装置４、これら液晶パネルや照明装置等を収容するケース５及び当該ケースの外側に設けられたダクト３０６を有する。ここで、液晶装置３０１には、ダクト等の他にも、その他の付帯機構が必要に応じて付設される（図示しない）。
【０１０３】
ダクト３０６は、第１空間Ｄの外側に設けられた放熱板３６の一部を覆うように設けられており、例えば図９に示すように底面部４３のほぼ中央で第１の開口部Ｆ及び第２の開口部Ｇを平面的に内部に含むように平面形状が略口の字状に形成されている。これにより、放熱体としての放熱板３６の第１空間Ｄと反対側の一部に接し、上記第１の開口部Ｆと第２の開口部Ｇとを覆うように第２空間Ｉが構成されることとなる。ダクト３０６は、例えばアルミニウム等の金属により形成されている。
【０１０４】
また、例えば図９に示すように放熱板３６はダクト３０６に一部を覆われており、その覆われている面積Ｊ５は当該ダクト３０６に覆われていない面積Ｊ６（底面部の一部と壁面４４，４５）より小さくなる様にダクト３０６の大きさを形成している。
【０１０５】
（液晶装置の動作）
【０１０６】
次に、以上のように構成された液晶装置３０１の動作について特にダクト内の熱の進み方を中心に簡単に説明する。
【０１０７】
まず、例えば図９に示すように駆動回路（図示しない）により第１の開口部Ｆの電動モーターがファン５０を回転させ、空気層中の熱せられた空気を強制的に第１空間Ｄから第２空間Ｉに流入させる。
【０１０８】
これにより、熱せられた空気は第１の開口部Ｆの突出し部４８から図９のＹ軸方向の左右（図中の矢印Ｍ１）に流れ、さらにダクト３０６の内面３０６ａによってその流れが図９のＸ軸方向（図中の矢印Ｍ２）に曲げられ、もう一度ダクト３０６の内面３０６ａによってその流れが図８のＸ軸方向（図中の矢印Ｍ３）に曲げられて、最後に第２の開口部Ｇの突出し部４９からファン５１を回転させ、第２空間内の空気を強制的に第１空間Ｄに流出させる。これにより、ダクト内を熱せられた空気が流れるときに放熱板３６との接触面積が広くなると共により離れた場所で放熱板３６に接して冷却できるので冷却効率が向上する。
【０１０９】
以上で液晶装置１の動作の説明を終了する。
【０１１０】
このように本変形例によれば、ダクト３０６は、その平面形状が略ロの字状に形成されていることとしたので、放熱板３６との接触面積を増やすことができると共に離れた場所の放熱板３６に接触させて、より冷却効率を向上できる。
【０１１１】
（変形例４）
【０１１２】
次に本発明に係る液晶装置の変形例４について説明する。本変形例においては、ダクトの平面形状が一直線状ではなく略Ｔ字状である点が第１の実施形態と異なっているのでその点を中心に説明する。
【０１１３】
（液晶装置の構成）
【０１１４】
図１０は本発明の変形例４に係る液晶装置の概略底面図である。
【０１１５】
液晶装置４０１は、例えば図１０に示すように液晶パネル２、当該液晶パネル２等に電気的に接続された可撓性基板としてのフレキシブル基板３、当該液晶パネル２に光を射出する照明装置４、これら液晶パネルや照明装置等を収容するケース５及び当該ケースの外側に設けられたダクト４０６を有する。ここで、液晶装置４０１には、ダクト等の他にも、その他の付帯機構が必要に応じて付設される（図示しない）。
【０１１６】
ダクト４０６は、第１空間Ｄの外側に設けられた放熱板３６の一部を覆うように設けられており、例えば図１０に示すように底面部４３のほぼ中央で第１の開口部Ｆ及び第２の開口部Ｇを平面的に内部に含むように平面形状が略Ｔ字状に形成されている。ここで、第１空間Ｄから熱せられた空気が流入する第１の開口部Ｆは、Ｔ字の下端部に一つ配置されており、放熱板３６により冷却された空気が第１空間Ｄに流出する第２の開口部Ｇは、Ｔ字の横棒部分の左右端に一つずつ配置されている。これにより、比較的流通抵抗の高い第２の開口部Ｇが二つ左右に配置されているので、貫通孔４２での流出圧力を小さくできてその分、流通抵抗が少なくなる。ダクト４０６は、例えばアルミニウム等の金属により形成されている。
【０１１７】
また、例えば図１０に示すように放熱板３６はダクト４０６に一部を覆われており、その覆われている面積Ｊ７は当該ダクト４０６に覆われていない面積Ｊ８（底面部の一部と壁面４４，４５）より小さくなる様にダクト４０６の大きさを形成している。
【０１１８】
（液晶装置の動作）
【０１１９】
次に、以上のように構成された液晶装置４０１の動作について特にダクト内の熱の進み方を中心に簡単に説明する。
【０１２０】
まず、例えば図１０に示すように駆動回路（図示しない）により第１の開口部Ｆの電動モーターがファン５０を回転させ、空気層中の熱せられた空気を強制的に第１空間Ｄから第２空間Ｉに流入させる。
【０１２１】
これにより、熱せられた空気は第１の開口部Ｆの突出し部４８から図１０のＸ軸上方向（図中の矢印Ｎ１）に流れ、さらにダクト４０６の内面４０６ａによってその流れが図１０のＹ軸の左右方向（図中の矢印Ｎ２）に曲げられて、左右一つずつの第２開口部Ｇの突出し部４９からファン５１の回転により、第２空間内の空気を強制的に第１空間Ｄに流出させる。
【０１２２】
以上で液晶装置４０１の動作の説明を終了する。
【０１２３】
このように本変形例によれば、ダクト４０６は、その平面形状が略Ｔの字状に形成されているので、例えば横方向のダクト内両端に一つずつ第２の開口部Ｇを設け、縦方向のダクト内の横方向ダクト内から離れたところに一つの第１の開口部Ｆを設けることができ、第２の開口部Ｇでの流通抵抗を減らし、より冷却効率を向上させることが可能となる。さらに放熱板３６との接触面積を増やすこともできるので更なる冷却効率の向上を図れる。
【０１２４】
（変形例５）
【０１２５】
次に本発明に係る液晶装置の変形例５について説明する。本変形例においては、ダクトの断面形状が一部内側に窪んでいる点が第１の実施形態と異なっているのでその点を中心に説明する。
【０１２６】
（液晶装置の構成）
【０１２７】
図１１は本発明の変形例５に係る液晶装置の概略断面図である。
【０１２８】
液晶装置５０１は、例えば図１１に示すように液晶パネル２、当該液晶パネル２等に電気的に接続された可撓性基板としてのフレキシブル基板３、当該液晶パネル２に光を射出する照明装置４、これら液晶パネルや照明装置等を収容するケース５及び当該ケースの外側に設けられたダクト５０６を有する。ここで、液晶装置５０１には、ダクト等の他にも、その他の付帯機構が必要に応じて付設される（図示しない）。
【０１２９】
ダクト５０６は、第１空間Ｄの外側に設けられた放熱板３６の一部を覆うように設けられており、第１の開口部Ｆ及び第２の開口部Ｇを平面的に内部に含むように平面形状が略一直線状に形成されている。そして、当該ダクト５０６は例えば図１１に示すように第１開口部Ｆと第２開口部Ｇとの間でダクト５０６の内面５０６ａが内側に窪んでおり、当該窪んだ部分５６１の放熱板底面部４３の表面とダクト内面５０６ａとの間隔Ｏ１が、第１及び第２の開口部Ｆ，Ｇとダクト内面５０６ｂとの間隔Ｏ２とほぼ同じとなっている。なお、その窪み方は例えば図１１に示すように途中で徐々にダクト５０６の内面が内側に窪むように形成するほうが、内部を流れる空気の流れがスムーズとなり好ましい。
【０１３０】
（液晶装置の動作）
【０１３１】
次に、以上のように構成された液晶装置５０１の動作について特にダクト内の熱の進み方を中心に簡単に説明する。
【０１３２】
まず、例えば図１１に示すように駆動回路（図示しない）により第１の開口部Ｆの電動モーターがファン５０を回転させ、空気層中の熱せられた空気を強制的に第１空間Ｄから第２空間Ｉに流入させる。
【０１３３】
これにより、熱せられた空気は第１の開口部Ｆの突出し部４８から図１１のＺ軸方向（図中の矢印Ｐ１）に流れ、ダクト５０６の内面５０６ｂ及びそれに続く斜面によりその流れが放熱板３６の底面部により近づくように変えられる。そして放熱板３６に近接して図１１のＸ軸方向（図中の矢印Ｐ２）に流れ、やがて第２開口部Ｇの突出し部４９からファン５１の回転により、強制的に第１空間Ｄに流出させることとなる。
【０１３４】
以上で液晶装置５０１の動作の説明を終了する。
【０１３５】
このように本変形例によれば、第２空間Ｉは、第１の開口部Ｆと第２の開口部Ｇとの間で放熱体表面とダクト内面５０６ａとの間隔Ｏ１が、第１及び第２の開口部Ｆ，Ｇとダクト内面５０６ｂとの間隔Ｏ２とほぼ同一に形成されているので、例えば送風手段を有する第１及び第２の開口部Ｆ，Ｇでは、空気がその流れ方向をスムーズに変えるスペースを確保することができる。そして第１の開口部Ｆと第２の開口部Ｇとの間では、熱せられた空気が出来るだけ放熱板表面に接触して流れることができ、より効率的に放熱板３６へ熱を伝えることが可能となる。
【０１３６】
（変形例６）
【０１３７】
次に本発明に係る液晶装置の変形例６について説明する。本変形例においては、ダクトの断面形状が凹凸形状を有する点が第１の実施形態と異なっているのでその点を説明する。尚、液晶装置の動作はダクトとの接触面積が増えて空気が流れる他はほぼ第１実施形態と同様であるのでその説明は省略する。
【０１３８】
（液晶装置の構成）
【０１３９】
図１２は本発明の変形例６に係る液晶装置の概略断面図及び図１３はダクトの概略断面図である。
【０１４０】
液晶装置６０１は、例えば図１２に示すように液晶パネル２、当該液晶パネル２等に電気的に接続された可撓性基板としてのフレキシブル基板３、当該液晶パネル２に光を射出する照明装置４、これら液晶パネルや照明装置等を収容するケース５及び当該ケースの外側に設けられたダクト６０６を有する。ここで、液晶装置６０１には、ダクト等の他にも、その他の付帯機構が必要に応じて付設される（図示しない）。
【０１４１】
ダクト６０６は、第１空間Ｄの外側に設けられた放熱板３６の一部を覆うように設けられており、第１の開口部Ｆ及び第２の開口部Ｇを平面的に内部に含むように平面形状が例えば略一直線状に形成されている。そして、当該ダクト６０６は例えば図１２及び図１３（ａ）に示すように第１の開口部Ｆから第２の開口部Ｇへの空気の流れに沿うように第１開口部Ｆと第２開口部Ｇとの間にフィン６６２を有している。ここで、フィン６６２は例えば図１３（ａ）に示すように図１２のＹ軸方向の断面が、矩形形状が連続するように形成されている。勿論、当該断面形状は矩形形状が連続するものに限られるものではなく例えば図１３（ｂ）のように三角形状の斜辺が連続するような断面でもいいし、図１３（ｃ）のように半円状の円弧が連続するような断面でもよい。
【０１４２】
このように本変形例によれば、ダクト６０６は、第１の開口部Ｆから第２の開口部Ｇへの空気の流れに沿ったフィン６６２を有するので、流れる熱せられた空気のダクト６０６への接触面積が増加する共に当該空気の流れがスムーズとなり、より熱せられた空気からダクト６０６への熱の伝達が効率的となり、放熱板３６による冷却にさらにダクト６０６からの十分な冷却効果が期待できることとなる。
【０１４３】
（第２実施形態）
【０１４４】
次に本発明に係る液晶装置の第２の実施形態について説明する。本実施形態においては、光源が液晶パネルの直下にはなく横に配置されている点が第１の実施形態と異なっているのでその点を中心に説明する。
【０１４５】
（液晶装置の構成）
【０１４６】
図１４は本発明の第２の実施形態に係る液晶装置の断面図及び図１５は図１４のＱ−Ｑ線断面図である。
【０１４７】
液晶装置７０１は、例えば図１４に示すように液晶パネル２、当該液晶パネル２や後述する光源に電気的に接続されたフレキシブル基板３、当該液晶パネル２に光を射出する照明装置７０４、当該照明装置等を収容するケース７０５及び当該ケースの外側に設けられたダクト７０６を有する。ここで、液晶装置７０１には、ダクト７０６等の他にも、その他の付帯機構が必要に応じて付設される（図示しない）。
【０１４８】
照明装置７０４は例えば図１４に示すように液晶パネル２に光を供給するユニットであり、光源２９、導光体としての導光板７６５、二枚のレンズシート３１，３２、拡散シート３０、反射シート７６６及び当該光源２９の周囲に形成された気体層としての空気層３３を有する。
【０１４９】
ここで、光源２９は例えば図１４及び図１５に示すように冷陰極管３４及びその冷陰極管３４から導光板７６５と反対方向に射出した光を導光板７６５に反射させるリフレクター７６７を有する。
【０１５０】
冷陰極管３４は、例えば図１４に示すように導光板７６５の側端面に沿うように配置されており、その電流は例えばフレキシブル基板３の配線パターン２４により供給される。
【０１５１】
また、リフレクター７６７は例えば図１４に示すように断面が略凹面鏡のように形成されており、冷陰極管３４の導光板７６５と反対側にその冷陰極管３４を覆うように配置されている。
【０１５２】
次に、ケース７０５は例えば図１４及び図１５に示すように上部に開口した凹部３５を有する箱形状からなり、その外側には放熱体としての放熱板７３６を有する。そして当該凹部３５にレンズシート３１，３２、拡散シート３０、導光板７６５、反射シート７６６、光源２９及びリフレクター７６７が収容されている。
【０１５３】
ここで、凹部３５は内底部３７及び内壁３８を有し、冷陰極管３４は例えば図１４に示すように光源側の内壁３８や偏光板１４から所定の間隔で保持され、この間隔に空気が存在し空気層３３を形成している。これにより、当該ケース７０５内に第２基板９に照射する光を射出する光源２９及び当該光源２９に接する気体層としての空気層３３を収容する第１空間Ｄが形成されることとなり、その外側に放熱体としての放熱板７３６が配置されることとなる。
【０１５４】
更に内底部３７には、例えば図１５に示すように第１及び第２の開口部Ｆ，Ｇとしての貫通部４０，４１がＸ軸方向に配置された冷陰極管３４の両端側付近にそれぞれ設けられている。
【０１５５】
また、放熱板７３６は例えば図１４及び図１５に示すようにケース７０５の底面外側の底面部４３からＵ字状に左右のケース外壁の外側の壁面４４，４５として延在されており、金属例えばアルミニウムにより形成されている。
【０１５６】
さらに例えば図１５に示すように冷陰極管３４の両端側付近には、第１空間Ｄから後述するダクト内に流入する第１の開口部Ｆと空気が放熱体としての放熱板７３６により冷却されて第１空間Ｄに流出する第２の開口部Ｇが形成されている。
【０１５７】
次にダクト７０６は、第１空間Ｄの外側に設けられた放熱板７３６の一部を覆うように設けられており、例えば底面部４３の第１の開口部Ｆ及び第２の開口部Ｇを平面的に内部に含むように平面形状が略一直線状に形成されている。これにより、放熱板７３６の第１空間Ｄと反対側の一部に接し、上記第１の開口部Ｆと第２の開口部Ｇとを覆う第２空間Ｉが構成されることとなる。また、ダクト７０６は例えばアルミニウム等の金属により形成されている。
【０１５８】
さらに放熱板７３６は、例えば図１４に示すようにダクト７０６に一部を覆われており、その覆われている面積Ｊ９は当該ダクト７０６に覆われていない面積Ｊ１０（底面部の一部と壁面４４，４５）より小さくなる様にダクト７０６の大きさを形成している。
【０１５９】
（液晶装置の動作）
【０１６０】
次に、以上のように構成された液晶装置７０１の動作について特に光源からの熱の進み方を中心に簡単に説明する。
【０１６１】
まず、図示しない駆動回路により例えば冷陰極管３４に所定の電流が供給されると該冷陰極管３４は光を発すると共に、発熱する。そして、その冷陰極管３４から発生した熱は、例えば図１４に示すように冷陰極管３４やリフレクター７６７に接する気体である空気に移り、第１空間Ｄの気体層としての空気層３３中にその熱が広がる。
【０１６２】
更に該空気層３３中に広がった熱は、例えば図１５に示すように駆動回路により第１の開口部Ｆの電動モーターがファン５０を回転させ、空気層中の熱せられた空気を強制的に第１空間Ｄから第２空間Ｉに流入させる（図１５中の矢印Ｒ１）。すなわち、第１空間Ｄから熱せられた空気が第１の開口部Ｆを通ってダクト７０６内に流入する。
【０１６３】
このとき、例えば駆動回路により第２の開口部Ｇの電動モーターがファン５１を回転させ、ダクト内の空気を強制的に第１空間Ｄに流出させる（図５中の矢印Ｒ３）。したがって、ダクト内の空気は、例えば図１５に示すように第２の開口部Ｇに向かって流れる（図５中の矢印Ｒ２）。これにより、ダクト内を流れる熱せられた空気の熱が放熱板７３６の底面部４３に移り、ダクト内を流れる空気は冷却されて第２の開口部Ｇのファンにより強制的に第１空間Ｄの空気層３３に流入することとなる。そして、空気層３３に流入した冷えた空気は熱くなっているリフレクター７６７や冷陰極管３４に接し当該冷陰極管等を冷却する。
【０１６４】
すなわち、外気から遮断された形で第１空間Ｄから第２空間Ｉに熱せられた空気が流入し、その流入した第２空間Ｉで放熱板７３６に接して冷却され、また第２空間Ｉから第１空間に冷却された空気が戻るという密閉された循環流路が形成されることとなり、冷陰極管等を所定の温度に維持することが可能となる。
【０１６５】
以上で液晶装置７０１の動作の説明を終了する。
【０１６６】
このように本実施形態によれば、第２基板９に平面的に重なる位置に配置され、光源２９から射出された光を側端面に受ける導光板７６５を更に具備することとしたので、光源２９の配置場所にかかわらず外気の汚染を防ぎ当該光源２９を冷却し、その発光効率を向上させることができる。
【０１６７】
（変形例７）
【０１６８】
次に本発明に係る液晶装置の変形例７について説明する。本変形例においては、ダクトが放熱板の側面に設けられている点が第２の実施形態と異なっているのでその点を説明する。尚、液晶装置の動作はほぼ第２実施形態と同様であるのでその説明は省略する。
【０１６９】
（液晶装置の構成）
【０１７０】
図１６は本発明の変形例７に係る液晶装置の断面図である。
【０１７１】
液晶装置８０１は、例えば図１６に示すように液晶パネル２、当該液晶パネル２や後述する光源に電気的に接続されたフレキシブル基板３、当該液晶パネル２に光を射出する照明装置７０４、当該照明装置等を収容するケース８０５及び当該ケースの外側に設けられたダクト８０６を有する。ここで、液晶装置８０１には、ダクト８０６等の他にも、その他の付帯機構が必要に応じて付設される（図示しない）。
【０１７２】
ケース８０５は例えば図１６に示すように上部に開口した凹部３５を有する箱形状からなり、その外側には放熱体としての放熱板８３６を有する。そして当該凹部３５にレンズシート３１，３２、拡散シート３０、導光板７６５、反射シート７６６、光源２９及びリフレクター７６７が収容されている。
【０１７３】
ここで、凹部３５は内底部３７及び内壁３８を有し、冷陰極管３４は例えば図１６に示すように光源側の内壁３８や偏光板１４から所定の間隔で保持され、この間隔に空気が存在し空気層３３を形成している。これにより、当該ケース８０５内に第２基板９に照射する光を射出する光源２９及び当該光源２９に接する気体層としての空気層３３を収容する第１空間Ｄが形成されることとなり、その外側に放熱体としての放熱板８３６が配置されることとなる。
【０１７４】
更に光源側の内壁３８には、例えば図１６に示すように第１及び第２の開口部Ｆ，Ｇである貫通部４０，４１が、Ｘ軸方向に配置された冷陰極管３４の両端側付近にそれぞれ設けられている。
【０１７５】
また、放熱板８３６は例えば図１６に示すようにケース８０５の底面外側の底面部４３からＵ字状にＹ軸方向で左右のケース外壁の外側の壁面８４４，８４５として延在されており、金属例えばアルミニウムにより形成されている。
【０１７６】
さらに例えば図１６に示すように冷陰極管３４の両端側付近には、第１空間Ｄから後述するダクト内に流入する第１の開口部Ｆと空気が放熱体としての放熱板８３６により冷却されて第１空間Ｄに流出する第２の開口部Ｇが形成されている。
【０１７７】
次にダクト８０６は、第１空間Ｄの外側に設けられた放熱板８３６の一部を覆うように設けられており、例えば光源側の壁面８４４に第１の開口部Ｆ及び第２の開口部Ｇを平面的に内部に含むように平面形状が略一直線状に形成されている。これにより、放熱体としての放熱板８３６の第１空間Ｄと反対側の一部に接し、上記第１の開口部Ｆと第２の開口部Ｇとを覆う第２空間Ｉが構成されることとなる。また、ダクト８０６は例えばアルミニウム等の金属により形成されている。
【０１７８】
さらに放熱板８３６は、例えば図１６に示すようにダクト８０６に一部を覆われており、その覆われている面積Ｊ１１は当該ダクト８０６に覆われていない面積Ｊ１２（底面部の一部と壁面８４４，８４５）より小さくなる様にダクト８０６の大きさを形成している。
【０１７９】
このように本変形例によれば、ケース８０５の側壁に第１の開口部Ｆと第２の開口部Ｇとを覆うダクト８０６を配置したので、液晶装置全体の厚さを増やすことなく、外気による汚染を防いで当該光源２９を冷却し、その発光効率を向上させることができる。
【０１８０】
（第３の実施形態・電子機器）
【０１８１】
次に、上述した液晶装置１から液晶装置８０１のいずれかを備えた本発明の第３の実施形態に係る電子機器について説明する。
【０１８２】
図１７は本発明の第３の実施形態に係る携帯電話機の外観概略図及び図１８はパーソナルコンピュータの外観概略図である。
【０１８３】
例えば、携帯電話機９００は、図１７に示すように複数の操作ボタン９７１の他、受話口９７２、送話口９７３を有する外枠に例えば、液晶装置１を備えている。
【０１８４】
また、パーソナルコンピュータ１０００は、図１８に示すようにキーボード１０８１を備えた本体部１０８２と、液晶表示ユニット１０８３とから構成されており、液晶表示ユニット１０８３は外枠に例えば、液晶装置１を備えている。
【０１８５】
これらの電子機器は、液晶装置１の他に図示しないが表示情報出力源、表示情報処理回路等の様々な回路及びそれらの回路に電力を供給する電源回路等からなる表示信号生成部等を含んで構成される。
【０１８６】
更に液晶装置１には例えば、パーソナルコンピュータ１０００の場合にあってはキーボード１０８１から入力された情報に基づき表示信号生成部によって生成された表示信号が供給されることによって、表示画像が液晶装置１に表示される。
【０１８７】
本実施形態によれば、光源２９の冷却を外気による汚染なしにできると共に、省スペース化、薄型化を図ることが可能な液晶装置１を備えたので、表示品位が高くて小型、薄型化された電子機器を低コストに提供できる。
【０１８８】
特に上述したような携帯可能な電子機器にあっては、室外で用いても画面表示が鮮明であることが求められており、小型薄型化が容易で表示輝度を上げながら外気からの汚染を防ぎ発光効率を向上できる本発明の意義は大きいといえる。
【０１８９】
尚、電子機器としては、他に液晶装置が搭載されたタッチパネル、プロジェクタ、液晶テレビやビューファインダ型、モニタ直視型のビデオテープレコーダ、カーナビゲーション、ページャ、電子手帳、電卓等が挙げられる。そして、これらの各種電子機器の表示部として、上述した例えば液晶装置１から液晶装置８０１が適用可能なのは言うまでもない。
【０１９０】
また、本発明は上述したいずれの実施形態にも限定されず、本発明の技術思想の範囲内で適宜変更して実施できる。また、本発明の要旨を逸脱しない範囲において、上述した各実施形態及び変形例を組み合わせ得る。
【０１９１】
例えば上述した実施形態では、電気光学装置の一例として薄膜トランジスタ素子アクティブマトリクス型の液晶装置について説明したがこれに限られるものではなく、例えば、薄膜ダイオード素子アクティブマトリクス型やパッシブマトリクス型の液晶装置であってもよい。これにより、多種多様な液晶装置についても、外気による汚染を防ぎながら光源の発光効率を向上でき、小型化薄型化が可能である。
【０１９２】
更に上述の説明では、ドライバーＩＣ２６をフレキシブル基板３に実装するＣＯＦ（Ｃｈｉｐ  Ｏｎ  Ｆｉｌｍ）として説明したがこれに限られるものではなく、例えばＣＯＧ（Ｃｈｉｐ  Ｏｎ  Ｇｌａｓｓ）の場合であってもよい。これにより、多種多様な液晶装置についても、外気による汚染を防ぎながら光源の発光効率を向上でき、小型化薄型化が可能である。
【０１９３】
また、上述の説明では第１の開口部Ｆ及び第２の開口部Ｇの両方に送風手段としてのファンを配置したが、どちらか一方だけでも十分空気が循環できるようであれば、例えば第１の開口部Ｆだけにファンを設けてもよい。また、送風手段は、ファンに限られるものではなく、例えばポンプのように圧力を付加して一方方向に気体を流通させるものであればよい。
【図面の簡単な説明】
【０１９４】
【図１】第１の実施形態に係る液晶装置の概略斜視図である。
【図２】図１のＡ−Ａ線断面図（ドライバーＩＣは切断していない。）である。
【図３】図１のＢ−Ｂ線断面図である。
【図４】第１の実施形態に係る液晶装置の概略底面図である。
【図５】ケース内及びダクト内の熱の進み方を側面から説明する図である。
【図６】変形例１に係る液晶装置の断面図である。
【図７】変形例１に係る液晶装置の光源の配列を上から見た状態の説明図である。
【図８】変形例２に係る液晶装置の概略底面図である。
【図９】変形例３に係る液晶装置の概略底面図である。
【図１０】変形例４に係る液晶装置の概略底面図である。
【図１１】変形例５に係る液晶装置の概略断面図である。
【図１２】変形例６に係る液晶装置の概略断面図である。
【図１３】変形例６に係る液晶装置のダクトの概略断面図である。
【図１４】第２の実施形態に係る液晶装置の断面図である。
【図１５】図１４のＱ−Ｑ線断面図である。
【図１６】変形例７に係る液晶装置の断面図である。
【図１７】第３の実施形態に係る携帯電話機の外観概略図である。
【図１８】第３の実施形態に係るパーソナルコンピュータの外観概略図である。
【符号の説明】
【０１９５】
１，１０１，２０１，３０１，４０１，５０１，６０１，７０１，８０１  液晶装置、  ２  液晶パネル、  ３  フレキシブル基板、  ４，１０４，７０４  照明装置、  ５，７０５，８０５  ケース、  ６，２０６，３０６，４０６，５０６，６０６，７０６，８０６  ダクト、  ７  シール材、  ８  第１基板、  ９  第２基板、  １０  液晶、  １１  第１の基材、  １２  第２の基材、  １３，１４  偏光板、  １５  走査線、  １６  データ線、  １７，２２  配向膜、  １８  画素電極、  １９  張出し部、  ２０  外部用端子、  ２１  共通電極、  ２３  ベース基材、  ２４，２５  配線パターン、  ２６  ドライバーＩＣ、  ２７  異方性導電膜、  ２８  バンプ、  ２９  光源、  ３０  拡散シート、  ３１，３２  レンズシート、  ３３  空気層、  ３４  冷陰極管、  ３５  凹部、  ３６，７３６，８３６  放熱板、  ３７  内底部、  ３８  内壁、  ３９  段部、  ４０，４１，４６，４７  貫通部、  ４２  貫通孔、  ４３  底面部、  ４４，４５  壁面、  ４８，４９  突出し部、  ５０，５１  ファン、  １３４  発光ダイオード、  ２０６ａ，３０６ａ，４０６ａ，５０６ａ，５０６ｂ  内面、  ５６１  窪んだ部分、  ６６２  フィン、  ７６５  導光板、  ７６６  反射シート、  ７６７  リフレクター、  ９００  携帯電話機、  ９７１  操作ボタン、  ９７２  受話口、  ９７３  送話口、  １０００  パーソナルコンピュータ、  １０８１  キーボード、  １０８２  本体部、  １０８３  液晶表示ユニット、  Ｃ  有効表示領域、  Ｄ  第１空間、  Ｆ  第１の開口部、  Ｇ  第２の開口部、  Ｉ  第２空間
【図１】
2009086125.tif 000003
【図２】
2009086125.tif 000004
【図３】
2009086125.tif 000005
【図４】
2009086125.tif 000006
【図５】
2009086125.tif 000007
【図６】
2009086125.tif 000008
【図７】
2009086125.tif 000009
【図８】
2009086125.tif 000010
【図９】
2009086125.tif 000011
【図１０】
2009086125.tif 000012
【図１１】
2009086125.tif 000013
【図１２】
2009086125.tif 000014
【図１３】
2009086125.tif 000015
【図１４】
2009086125.tif 000016
【図１５】
2009086125.tif 000017
【図１６】
2009086125.tif 000018
【図１７】
2009086125.tif 000019
【図１８】
2009086125.tif 000020